(57)【要約】【課題】対象領域の利用状況に関する情報の表示を柔軟に変更することができる入退室管理システムを提供する。【解決手段】入退室管理システムは、対象領域の出入口に設けられた識別装置と、前記出入口に設けられたボタンと、前記出入口に設けられた表示装置と、前記識別装置が識別した個人を認証した際に前記ボタンが操作された場合に、前記対象領域の利用状況に関する情報を前記表示装置に表示させるか否かを当該個人の属性に基づいて判定する制御装置と、を備えた。【選択図】図１
2014095207.tif 000002
【特許請求の範囲】
【請求項１】
対象領域の出入口に設けられた識別装置と、
前記出入口に設けられたボタンと、
前記出入口に設けられた表示装置と、
前記識別装置が識別した個人を認証した際に前記ボタンが操作された場合に、前記対象領域の利用状況に関する情報を前記表示装置に表示させるか否かを当該個人の属性に基づいて判定する制御装置と、
を備えたことを特徴とする入退室管理システム。
【請求項２】
前記表示装置は、前記識別装置に設けられ、前記ボタンを表示したことを特徴とする請求項１に記載の入退室管理システム。
【請求項３】
前記識別装置は、前記対象領域の外側に設けられた入側識別装置を有し、
前記ボタンは、前記対象領域の外側に設けられた利用開始用ボタンを有し、
前記表示装置は、前記対象領域の外側に設けられた入側表示装置を有し、
前記制御装置は、前記入側識別装置が識別した個人を認証した際に前記利用開始用ボタンが操作された場合に、前記対象領域が利用中であることを示す情報を前記入側表示装置に表示させることを特徴とする請求項１又は請求項２に記載の入退室管理システム。
【請求項４】
前記識別装置は、前記対象領域の内側に設けられた出側識別装置を有し、
前記ボタンは、前記対象領域の内側に設けられた利用終了用ボタンを有し、
前記制御装置は、前記出側識別装置が識別した個人を認証した際に前記利用終了用ボタンが操作された場合に、前記対象領域が清掃中であることを示す情報を前記入側表示装置に表示させることを特徴とする請求項３に記載の入退室管理システム。
【請求項５】
前記ボタンは、前記対象領域の内側に設けられた清掃終了用ボタンを有し、
前記制御装置は、前記出側識別装置が識別した個人を認証した際に前記ボタンが操作された場合に、当該個人の属性が清掃者に対応した属性であれば、前記対象領域が利用可能であることを示す情報を前記表示装置に表示させることを特徴とする請求項４に記載の入退室管理システム。
【発明の詳細な説明】
【技術分野】
【０００１】
この発明は、入退室管理システムに関するものである。
【背景技術】
【０００２】
識別装置が識別した個人が認証された際にボタンが操作された場合に対象領域の利用状況に関する情報を表示する表示装置を備えた入退室管理システムが提案されている。当該入退室管理システムによれば、対象領域の利用状況に関する情報を表示装置により把握することができる（例えば、特許文献１参照）。
【先行技術文献】
【特許文献】
【０００３】
【特許文献１】特開平８−６０９１１号公報
【特許文献２】特開２０１０−２６７２３３号公報
【特許文献３】特開２０１１−７０２６６号公報
【発明の概要】
【発明が解決しようとする課題】
【０００４】
しかしながら、特許文献１に記載の入退室管理システムにおいては、識別装置が識別した個人が認証された際にボタンが操作された場合に、対象領域の利用状況に関する情報が一律に表示される。このため、利用状況に関する表示を柔軟に変更することができない。
【０００５】
この発明は、上述の課題を解決するためになされたもので、対象領域の利用状況に関する情報の表示を柔軟に変更することができる入退室管理システムを提供することである。
【課題を解決するための手段】
【０００６】
この発明に係る入退室管理システムは、対象領域の出入口に設けられた識別装置と、前記出入口に設けられたボタンと、前記出入口に設けられた表示装置と、前記識別装置が識別した個人を認証した際に前記ボタンが操作された場合に、前記対象領域の利用状況に関する情報を前記表示装置に表示させるか否かを当該個人の属性に基づいて判定する制御装置と、を備えたものである。
【発明の効果】
【０００７】
この発明によれば、対象領域の利用状況に関する情報の表示を柔軟に変更することができる。
【図面の簡単な説明】
【０００８】
【図１】この発明の実施の形態１における入退室管理システムのブロック図である。
【図２】この発明の実施の形態１における入退室管理システムの入側液晶カードリーダ又は出側液晶カードリーダの表示部を説明するための図である。
【図３】この発明の実施の形態１における入退室管理システムの入側液晶カードリーダの表示部を説明するための図である。
【図４】この発明の実施の形態１における入退室管理システムの入側液晶カードリーダ又は出側液晶カードリーダの表示部を説明するための図である。
【図５】この発明の実施の形態１における入退室管理システムの入側液晶カードリーダの表示部を説明するための図である。
【図６】この発明の実施の形態１における入退室管理システムの入側液晶カードリーダ又は出側液晶カードリーダの表示部を説明するための図である。
【図７】この発明の実施の形態１における入退室管理システムの動作の例を説明するための図である。
【図８】この発明の実施の形態１における入退室管理システムの動作の例を説明するための図である。
【図９】この発明の実施の形態１における入退室管理システムの動作の例を説明するための図である。
【図１０】この発明の実施の形態１における入退室管理システムの動作を説明するためのフローチャートである。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１における入退室管理システムのブロック図である。
【００１１】
図１に示すように、入退室管理システムは、入側液晶カードリーダ１ａ、出側液晶カードリーダ１ｂ、ローカルコントローラ２、センター装置３を備える。
【００１２】
入側液晶カードリーダ１ａは、入側識別装置として、部屋等の監視対象領域の外側において当該監視対象領域の出入口に設けられる。出側液晶カードリーダ１ｂは、出側識別装置として、監視対象領域の内側において当該監視対象領域の出入口に設けられる。
【００１３】
ローカルコントローラ２は、制御装置として、入側液晶カードリーダ１ａと出側液晶カードリーダ１ｂの近傍に設けられる。ローカルコントローラ２は、入側液晶カードリーダ１ａと出側液晶カードリーダ１ｂに接続される。センター装置３は、管理室等に設けられる。センター装置３は、ローカルコントローラ２に接続される。
【００１４】
入退室管理システムにおいては、カード（図示せず）が監視対象領域を出入りする個人に配布される。カードには、当該個人を特定する識別子と当該個人の属性とが記録される。
【００１５】
個人が監視対象領域に入る際、当該個人は、入側液晶カードリーダ１ａに対してカードを操作する。この際、個人は、入側液晶カードリーダ１ａに表示されたボタンを操作する。ローカルコントローラ２は、入側液晶カードリーダ１ａから得られたカードデータとボタンの操作内容を解析する。
【００１６】
当該カードデータの解析結果が正しい場合、ローカルコントローラ２は、監視対象領域の利用状況の状態をセンター装置３に通知する。さらには、ローカルコントローラ２は、監視対象領域の利用状況に対応したポップアップの表示を入側液晶カードリーダ１ａに指示する。
【００１７】
個人が監視対象領域から出る際、当該個人は、出側液晶カードリーダ１ｂに対してカードを操作する。この際、個人は、出側液晶カードリーダ１ｂに表示されたボタンを操作する。ローカルコントローラ２は、出側液晶カードリーダ１ｂから得られたカードデータとボタンの操作内容を解析する。
【００１８】
当該カードデータの解析結果が正しい場合、ローカルコントローラ２は、センター装置３に監視対象領域の利用状況の更新を通知する。さらには、ローカルコントローラ２は、入側液晶カードリーダ１ａに監視対象領域の利用状況に対応したポップアップの表示の更新を指示する。
【００１９】
次に、図２と図３とを用いて、監視対象領域の利用を開始する際の操作を説明する。
図２はこの発明の実施の形態１における入退室管理システムの入側液晶カードリーダ又は出側液晶カードリーダの表示部を説明するための図である。図３はこの発明の実施の形態１における入退室管理システムの入側液晶カードリーダの表示部を説明するための図である。
【００２０】
図２に示すように、入側液晶カードリーダ１ａと出側液晶カードリーダ１ｂとには、表示装置として、表示部４が設けられる。表示部４の上部の左側には、言語選択用ボタン５が表示される。例えば、言語選択用ボタン５には、「Ｅｎｇｌｉｓｈ」と表示される。表示部４の上部の中央から右側には、日時６が表示される。例えば、日時６には、「２００８／０１／０１  １６：３８」と表示される。言語選択用ボタン５と日時６の直下には、案内７が表示される。例えば、案内７には、「右側＊＊部分にカードをかざしてください」と表示される。
【００２１】
案内７の直下の左側には、利用開始用ボタン８が表示される。例えば、利用開始用ボタン８には、「利用開始」と表示される。案内７の直下の右側には、利用終了用ボタン９が表示される。例えば、利用終了用ボタン９には、「利用終了」と表示される。利用開始用ボタン８の直下には、清掃終了用ボタン１０が表示される。例えば、清掃終了用ボタン１０には、「清掃終了」と表示される。
【００２２】
監視対象領域の利用を開始する場合は、入側液晶カードリーダ１ａ又は出側液晶カードリーダ１ｂの利用開始用ボタン８に触れればよい。この場合、監視対象領域の利用状況は「利用中」となる。このとき、図３に示すように、「ただいま利用中です」のポップアップ１１が入側液晶カードリーダ１ａのみに表示される。この際、ポップアップ１１は、言語選択用ボタン５と日時６とを隠さないように表示される。
【００２３】
次に、図４と図５とを用いて、監視対象領域の利用を終了した際の操作を説明する。
図４はこの発明の実施の形態１における入退室管理システムの入側液晶カードリーダ又は出側液晶カードリーダの表示部を説明するための図である。図５はこの発明の実施の形態１における入退室管理システムの入側液晶カードリーダの表示部を説明するための図である。
【００２４】
図４に示すように、監視対象領域の利用を終了した場合は、入側液晶カードリーダ１ａ又は出側液晶カードリーダ１ｂの利用終了用ボタン９に触れればよい。この場合、監視対象領域の利用状況は「清掃中」となる。このとき、図５に示すように、「ただいま清掃中です」のポップアップ１２が入側液晶カードリーダ１ａのみに表示される。この際、ポップアップ１２は、言語選択用ボタン５と日時６とを隠さないように表示される。
【００２５】
次に、図６を用いて、監視対象領域の清掃が終了した際の操作を説明する。
図６はこの発明の実施の形態１における入退室管理システムの入側液晶カードリーダ又は出側液晶カードリーダの表示部を説明するための図である。
【００２６】
図６に示すように、清掃が終了した場合は、入側液晶カードリーダ１ａ又は出側液晶カードリーダ１ｂの清掃終了用ボタン１０に触れればよい。また、センター装置３からグラフィック制御を行ってもよい。これらの場合、監視対象の利用状況は「利用可能」となる。このとき、入側液晶カードリーダ１ａのポップアップ表示が消去される。
【００２７】
次に、図７を用いて、利用者と清掃者とが異なり、利用者が監視対象領域を利用した後に清掃者が監視対象領域を清掃した場合を説明する。
図７はこの発明の実施の形態１における入退室管理システムの動作の例を説明するための図である。
【００２８】
監視対象領域の利用状況が「利用可能」の場合に、利用者が入側液晶カードリーダ１ａの利用開始用ボタン８に触れると、監視対象領域の利用状況は「利用中」となる。次に、利用状況が「利用中」の場合に、利用者が出側液晶カードリーダ１ｂの利用終了用ボタン９に触れると、監視対象領域の利用状況は「清掃中」となる。最後に、監視対象領域の利用状況が「清掃中」の場合に、清掃者が出側液晶カードリーダ１ｂの清掃終了用ボタン１０に触れると、監視対象領域の利用状況は「利用可能」となる。
【００２９】
次に、図８を用いて、利用者と清掃者とが異なり、利用者が監視対象領域を利用した後に利用者が監視対象領域を清掃した場合を説明する。
図８はこの発明の実施の形態１における入退室管理システムの動作の例を説明するための図である。
【００３０】
監視対象領域の利用状況が「利用可能」の場合に、利用者が入側液晶カードリーダ１ａの利用開始用ボタン８に触れると、監視対象領域の利用状況は「利用中」となる。次に、利用状況が「利用中」の場合に、利用者が出側液晶カードリーダ１ｂの利用終了用ボタン９に触れると、監視対象領域の利用状況は「清掃中」となる。最後に、監視対象領域の利用状況が「清掃中」の場合に、利用者が出側液晶カードリーダ１ｂの清掃終了用ボタン１０に触れても、当該操作は認証されない。この場合、監視対象領域の利用状況は「清掃中」のままとなる。
【００３１】
次に、図９を用いて、利用者と清掃者とが同じで、利用者（清掃者）が監視対象領域を利用した後に利用者（清掃者）が監視対象領域を清掃した場合を説明する。
図９はこの発明の実施の形態１における入退室管理システムの動作の例を説明するための図である。
【００３２】
監視対象領域の利用状況が「利用可能」の場合に、利用者（清掃者）が入側液晶カードリーダ１ａの利用開始用ボタン８に触れると、監視対象領域の利用状況は「利用中」となる。次に、監視対象領域の利用状況が「利用中」の場合に、利用者（清掃者）が出側液晶カードリーダ１ｂの利用終了用ボタン９に触れると、監視対象領域の利用状況は「清掃中」となる。最後に、監視対象領域の利用状況が「清掃中」の場合に、利用者（清掃者）が出側液晶カードリーダ１ｂの清掃終了用ボタン１０に触れると、監視対象領域の利用状況は「利用可能」となる。
【００３３】
次に、図１０を用いて、入退室管理システムの動作を説明する。
図１０はこの発明の実施の形態１における入退室管理システムの動作を説明するためのフローチャートである。
【００３４】
ステップＳ１では、ローカルコントローラ２は、個人の認証をチェックする。個人が認証されなかった場合は、動作が終了する。これに対し、個人が認証された場合は、ステップＳ２に進む。ステップＳ２では、ローカルコントローラ２は、ファンクション操作をチェックする。すなわち、ローカルコントローラ２は、利用開始用ボタン８、利用終了用ボタン９、清掃終了用ボタン１０が触れられたか否かを判定する。
【００３５】
ステップＳ２でファンクション操作がない場合は、ステップＳ３に進む。ステップＳ３では、ローカルコントローラ２は、監視対象領域の出入口の扉に設けられた電気錠に対し解錠処理を行う。その後、動作が終了する。
【００３６】
ステップＳ２で利用開始用ボタン８又は利用終了用ボタン９が触れられた場合は、ステップＳ４に進む。ステップＳ４では、ローカルコントローラ２は、監視対象領域の利用状況の状態をセンター装置３に通知する。その後、ステップＳ５に進み、ローカルコントローラ２は、利用開始用ボタン８又は利用終了用ボタン９に対応したポップアップの表示を入側液晶カードリーダ１ａに指示する。その後、ステップＳ３に進み、ローカルコントローラ２は、監視対象領域の出入口の扉に設けられた電気錠に対し解錠処理を行う。
【００３７】
ステップＳ２で清掃終了用ボタン１０が触れられた場合は、ステップＳ６に進む。ステップＳ６では、コントローラは、カードデータに基づいて、ステップＳ１で認証された個人の属性をチェックする。
【００３８】
ステップＳ６で個人が清掃者以外の場合は、動作が終了する。これに対し、個人が清掃者の場合は、ステップＳ４に進む。ステップＳ４では、ローカルコントローラ２は、監視対象領域の利用状況の状態をセンター装置３に通知する。その後、ステップＳ５に進み、ローカルコントローラ２は、清掃終了用ボタン１０に対応したポップアップの表示を入側液晶カードリーダ１ａに指示する。その後、ステップＳ３に進み、ローカルコントローラ２は、監視対象領域の出入口の扉に設けられた電気錠に対し解錠処理を行う。
【００３９】
以上で説明した実施の形態１によれば、監視対象領域の利用状況が入側液晶カードリーダ１ａに表示される。このため、監視対象領域の利用者の利便性を向上することができる。また、清掃終了時の表示の切り替えは、認証された個人の属性に基づいて判定される。すなわち、誰でも表示を変更できるわけではない。このため、監視対象領域の利用状況に関する表示を柔軟に変更することができる。その結果、監視対象領域のセキュリティ性を維持することができる。
【００４０】
また、利用開始用ボタン８、利用終了用ボタン９、清掃終了用ボタン１０は、入側液晶カードリーダ１ａ、出側液晶カードリーダ１ｂに表示される。このため、特別な装置を用いることなく、監視対象領域の利用状況に関する表示を柔軟に変更することができる。
【００４１】
また、利用開始用ボタン８により、監視対象領域が利用中であることを示す情報が表示される。このため、監視対象領域が利用中であることを報知することができる。
【００４２】
また、利用終了用ボタン９により、監視対象領域が清掃中であることを示す情報が表示される。このため、監視対象領域が清掃中であることを報知することができる。
【００４３】
また、清掃終了用ボタン１０により、監視対象領域が利用可能であることを示す情報が表示される。このため、監視対象領域が利用可能であることを報知することができる。
【００４４】
なお、入側液晶カードリーダ１ａ、出側液晶カードリーダ１ｂ以外の識別装置を利用して、個人を認証してもよい。例えば、指紋照合装置により個人の指紋を照合して、個人を認証してもよい。
【００４５】
また、利用開始用ボタン８、利用終了用ボタン９、清掃終了用ボタン１０として、機械式のボタンを利用してもよい。
【００４６】
また、入側液晶カードリーダ１ａ、出側液晶カードリーダ１ｂ以外の表示部４以外の表示装置に監視対象領域の利用状況に関する情報を表示してもよい。
【符号の説明】
【００４７】
１ａ  入側液晶カードリーダ、  １ｂ  出側液晶カードリーダ、  ２  ローカルコントローラ、  ３  センター装置、  ４  表示部、  ５  言語選択用ボタン、  ６  日時、  ７  案内、  ８  利用開始用ボタン、  ９  利用終了用ボタン、１０  清掃終了用ボタン  １１、１２  ポップアップ
【図１】
2014095207.tif 000003
【図２】
2014095207.tif 000004
【図３】
2014095207.tif 000005
【図４】
2014095207.tif 000006
【図５】
2014095207.tif 000007
【図６】
2014095207.tif 000008
【図７】
2014095207.tif 000009
【図８】
2014095207.tif 000010
【図９】
2014095207.tif 000011
【図１０】
2014095207.tif 000012